(57)【要約】      （修正有）【課題】圧力計構造を提供する。【解決手段】圧力計１内に、弓型の枠体１１を設置し、弓型の枠体１１下方は支持体１２を設置し、且つ、その間に膜片２を結合し、支持体１２底部はジョイント１３を設置するとともに、テストチャネル１４を貫通設置して、測定物はその間で可動であり、膜片２下は、同じ形状、または、平坦面の隔膜パッド３を設置し、且つ、隔膜辺縁上下にそれぞれ、円形の突起を設置して、膜片２と支持体１２の密封效果を強化し、膜片２上に防爆片４を設置し、支持体１２とジョイント１３は、一体成型設計である。実施時、測量圧力が、テストチャネルを経て、隔膜を上向けに押し送り、膜片がパラメータ表示を行い、且つ、膜片上方に防爆片を有して、圧力過大によって膜片が損壊するのを防止し、膜片と同じ形状の隔膜パッドによって、測量圧力の接触を隔離して、化学腐蝕、酸化、および、錆の生成を防止するとともに、さらに、食品レベルや耐化学テストの応用を達成する。【選択図】図１
0003216112.tif 000002
【実用新案登録請求の範囲】
【請求項１】
圧力計構造であって、圧力計内に、弓型の枠体を設置し、前記弓型の枠体下方に支持体を設置し、且つ、その間に、膜片を結合し、前記支持体底部はジョイントを設置するとともに、テストチャネルを穿設して、被測定物がその間で可動であり、前記膜片下に、前記膜片と同じ形状で貼合されている隔膜パッドを設置することを特徴とする圧力計構造。
【請求項２】
前記隔膜パッドと前記膜片の接触面は、平坦であることを特徴とする請求項１に記載の圧力計構造。
【請求項３】
前記隔膜パッドと前記膜片の接触面は、不規則な波浪状であることを特徴とする請求項１に記載の圧力計構造。
【請求項４】
前記隔膜パッド側辺上下は、それぞれ、円形の突起を設置することを特徴とする請求項１に記載の圧力計構造。
【請求項５】
前記隔膜パッドは軟性材質であり、好ましくは、ゴムかシリコンであることを特徴とする請求項１に記載の圧力計構造。
【請求項６】
圧力計構造であって、圧力計内に、弓型の枠体を設置し、前記弓型の枠体下方に支持体を設置し、且つ、その間に、膜片を結合し、前記支持体底部はジョイントを設置するとともに、テストチャネルを穿設して、被測定物がその間で可動であり、前記弓型の枠体と膜片間に、防爆片を設置していることを特徴とする圧力計構造。
【請求項７】
圧力計構造であって、圧力計内に、弓型の枠体を設置し、前記弓型の枠体下方に支持体を設置し、且つ、その間に、膜片を結合し、前記支持体底部はジョイントを設置するとともに、テストチャネルを穿設して、被測定物がその間で可動であり、前記支持体とジョイントの組み立ては、好ましくは、一体成型であることを特徴とする圧力計構造。
【請求項８】
前記ジョイントは、縦向けでも横向けでもよいことを特徴とする請求項７に記載の圧力計構造。
【考案の詳細な説明】
【技術分野】
【０００１】
本考案は、圧力計構造に関するものであって、特に、量測体と膜片の接触隔絶に用いて、化学腐蝕、酸化、および、錆の生成が精度に影響するのを防止するとともに、さらに、食品レベルのテストや耐化学の応用を達成する圧力計構造に関するものである。
【背景技術】
【０００２】
一般の圧力計構造は、通常、気体や液体の圧力値を測定して、生成される圧力の重要なパラメータを得る。
【０００３】
図９に示されるように、圧力計は、中間にジョイント１０１を有する搭載部品１０を含み、その外周縁が延伸した支持体１０２は、複数の湾曲した金属膜片２０と近接し、搭載部品１０、および、支持素子３０と中間素子が組み合わされ、外周はハウジング４０を設置し、上方に透明カバー４０１を設置している。搭載部品１０の支持体１０２と上方に設置された金属膜片２０の間はパッド２０２を設置し、搭載部品１０の支持体１０２に対応する支持素子３０の下方は、湾曲部３０１を形成して、搭載部品１０の支持体１０２上方、および、支持素子３０の枠３０１の間に設置されたパッド２０２、および、湾曲した金属膜片２０は、支持体１０２と確実な方位制限を形成し、搭載部品１０の支持体１０２と上方に組み合わされる金属膜片２０の間は、ジョイント１０１だけによって、外界と連通する封閉エアチャンバ１０３を形成する。
【０００４】
上述の従来の圧力計装置の技術に関し、膜片の受圧方面が具備する基本功能要求を達成しているが、使用時、被測定物との接触を防止することができず、膜片が、化学腐蝕、酸化、および、錆の生成によって、圧力計の精度に影響し、産業効果が発揮できない。
【考案の概要】
【考案が解決しようとする課題】
【０００５】
本考案は、膜片と同じ形状、または同じ平面の隔膜を膜片下に設置して、量測体の接触を防止して、化学腐蝕、酸化、および、錆の生成を防止する圧力計構造ことを目的とする。
【０００６】
本考案は、被測定物が突然に、圧力の超過で防爆片に進入するのを阻止し、膜片上に一距離を設けて、損壊を防止する圧力計構造を提供することをもう一つの目的とする。
【０００７】
本考案は、支持体とジョイントにより、一体成型の設計にして、コスト、および、工程を減少させる圧力計構造を提供することをさらなる目的とする。
【課題を解決するための手段】
【０００８】
上述の目的を達成するため、本考案の圧力計構造は、圧力計内に、弓型の枠体を設置し、弓型の枠体下方は、支持体を設置し、且つ、その間に膜片を結合し、支持体底部はジョイントを設置するとともに、テストチャネルを貫通設置して、測定物をその間に収容し、膜片下は、膜片と同じ形状で貼合されている隔膜パッドを設置し、被測定物と膜片の接触を隔絶して、各種膜片材質が生成する精度影響を解決することを目的とする。
【０００９】
上述のもう一つの目的を達成するため、本考案は、膜片上に防爆片を設置するとともに、弓型の枠体、および、膜片間に組み込んで、過多な圧力で、突然テストチャネルに進入する時、防爆片が膜片を阻止して、膜片、および、量測ユニットが損壊するのを防止する。
【００１０】
本考案のさらにもう一つの目的を達成するため、本考案による支持体とジョイントを、一体成型の設計にする。
【考案の効果】
【００１１】
本考案の圧力計構造は、化学腐蝕、酸化、および、錆の生成を防止する。
【図面の簡単な説明】
【００１２】
【図１】本考案の全体構造の断面図である。
【図２】図１の膜片と隔膜パッド中央の拡大図である。
【図３】本考案のもう一つの実施例による全体構造の断面図である。
【図４】図１の膜片と隔膜パッド側辺の拡大図である。
【図５】本考案の全体構造のジョイントの横向けの断面図である。
【図６】本考案の全体構造の実施作動図である。
【図７】本考案の膜片、および、隔膜パッドの立体組み合わせ、および、断面図である。
【図８】本考案のもう一つの実施例による膜片、および、隔膜パッドの立体組み合わせ、および、断面図である。
【図９】従来の全体構造の断面図である。
【考案を実施するための形態】
【００１３】
図１と図２に示されるように、本考案の圧力計構造は、圧力計１内に、弓型の枠体１１を設置し、弓型の枠体下方は支持体１２を設置し、且つ、その間に膜片２を結合する。支持体１２底部はジョイント１３を設置するとともに、貫通するテストチャネル１４を有して、被測定物をその間に収容する。
【００１４】
膜片２下に、膜片２と同じ形状で貼合されている隔膜パッド３を設置し、被測定物が、テストチャネル１４により、圧力を隔膜パッド３に伝達し、さらに、隔膜パッド３により、膜片２を上向けに押し送るとき、その圧力パラメータを測量し、被測定物と膜片２の接触を防止し、錆の生成が圧力計１の精度に影響するのを防止して、使用寿命を延長する。
【００１５】
隔膜パッドと膜片の接触面は、不規則な波浪状である。
【００１６】
隔膜パッドと膜片の接触面は、平坦である(図３に示される)。
【００１７】
隔膜パッド３側辺上下にそれぞれ、円形の突起３１を設置して、膜片２、および、支持体１２と接触させて、圧力生成時、作用の不均一を相殺するとともに、その密封効果を増加させる (図４に示される)。
【００１８】
隔膜パッド３は、任意の軟性材質 (たとえば、ゴム、シリコン)である。
【００１９】
本考案の圧力計構造において、膜片２上に、弓型の枠体１１と膜片２間に設置される防爆片４を有する。
【００２０】
本考案の圧力計構造において、支持体１２とジョイント１３は一体成型の設計であり、製造工程、および、材料を減少させて、生産コストと人件費を減少させる。
【００２１】
ジョイント１３は、縦向けでも横向けでもよい(図５に示される)。
【００２２】
実施時、図６から図８に示されるように、測量したい被測定物を一体成型のジョイント１３上に置いて、被測定物をテストチャネル１４内に進入させて、被測定物が、隔膜パッド３を押し送るとともに、共同で、付設される膜片２を上向けに押し上げ、隔膜パッド３と支持体１２間にギャップを有して、エアチャンバ５を形成し、直接、または、間接的に接触する方式で、膜片２を押し送ると同時に、隔膜パッド３側辺上下に設置された円形の突起３１が、被測定物の圧力伝達の不均一を相殺するとともに、その密封効果を増加して、ディスプレイユニットに、精確に、測定したデータを表示させ、故に、被測定物が、膜片２に完全に接触しない状況で、外部の物の浸食が精度に影響するのを防止する状況下で、圧力計１は、さらに、工業使用から食品産業および耐化学上の測量まで、産業における付加価値を発揮することができる。
【００２３】
被測定物が、テストチャネル１４内に快速、高圧で進入するとき、隔膜パッド３、および、膜片２は、快速に上昇するように動かされ、圧力が量測範囲を超える場合、膜片２上方に設置された防爆片４が下で阻止され、膜片２が破裂して、圧力計１が損壊するのを防止する。
【００２４】
総合すると、本考案の圧力計構造は、隔膜パッドを利用して、膜片を隔離保護し、錆の生成を防止するほか、さらに、使用範囲を拡大させ、防爆片は爆発を防止し、使用上、故障率を大幅に減少させ、また、一体成型の設計により、生産コストを減少させ、実用性も向上する。
【００２５】
本考案では好ましい実施例を前述の通り開示したが、これらは決して本考案に限定するものではなく、当該技術を熟知する者なら誰でも、本考案の思想を脱しない範囲内で各種の変形を加えることができる。
【符号の説明】
【００２６】
１０…搭載部品     
１０１…ジョイント
１０２…支持体    
１０３…エアチャンバ
２０…膜片       
２０１…パッド
３０…支持素子     
３０１…枠
４０…ハウジング       
４０１…透明カバー
１…圧力計
１１…弓型の枠体    
１２…支持体     
１３…ジョイント        
１４…テストチャネル
２…膜片
３…隔膜パッド
３１…円形の突起
４…防爆片
５…エアチャンバ
【図１】
0003216112.tif 000003
【図２】
0003216112.tif 000004
【図３】
0003216112.tif 000005
【図４】
0003216112.tif 000006
【図５】
0003216112.tif 000007
【図６】
0003216112.tif 000008
【図７】
0003216112.tif 000009
【図８】
0003216112.tif 000010
【図９】
0003216112.tif 000011
【手続補正書】
【提出日】平成30年3月12日(2018.3.12)
【手続補正１】
【補正対象書類名】実用新案登録請求の範囲
【補正対象項目名】全文
【補正方法】変更
【補正の内容】
【実用新案登録請求の範囲】
【請求項１】
圧力計構造であって、圧力計内に、弓型の枠体を設置し、前記弓型の枠体下方に支持体を設置し、且つ、その間に、膜片を結合し、前記支持体底部はジョイントを設置するとともに、テストチャネルを穿設して、被測定物がその間で可動であり、前記膜片下に、前記膜片と同じ形状で貼合されている隔膜パッドを設置することを特徴とする圧力計構造。
【請求項２】
前記隔膜パッドと前記膜片の接触面は、平坦であることを特徴とする請求項１に記載の圧力計構造。
【請求項３】
前記隔膜パッドと前記膜片の接触面は、不規則な波浪状であることを特徴とする請求項１に記載の圧力計構造。
【請求項４】
前記隔膜パッド側辺上下は、それぞれ、円形の突起を設置することを特徴とする請求項１に記載の圧力計構造。
【請求項５】
前記隔膜パッドは軟性材質であり、ゴム又はシリコンであることを特徴とする請求項１に記載の圧力計構造。
【請求項６】
圧力計構造であって、圧力計内に、弓型の枠体を設置し、前記弓型の枠体下方に支持体を設置し、且つ、その間に、膜片を結合し、前記支持体底部はジョイントを設置するとともに、テストチャネルを穿設して、被測定物がその間で可動であり、前記弓型の枠体と膜片間に、防爆片を設置していることを特徴とする圧力計構造。
【請求項７】
圧力計構造であって、圧力計内に、弓型の枠体を設置し、前記弓型の枠体下方に支持体を設置し、且つ、その間に、膜片を結合し、前記支持体底部はジョイントを設置するとともに、テストチャネルを穿設して、被測定物がその間で可動であり、前記支持体とジョイントの組み立ては、一体成型であることを特徴とする圧力計構造。
【請求項８】
前記ジョイントは、縦向け又は横向けであることを特徴とする請求項７に記載の圧力計構造。